(57)【要約】【課題】回路遮断器がトリップしてオフになった時にはバッテリにより負荷へ電力供給し、手動操作によりオフになった時にはバッテリによる負荷への電力供給は行わずに出力を停止し、バッテリの劣化を防止する。【解決手段】交流電源１に回路遮断器２を介して接続され、入力電圧を検出する入力電圧検出部５と、バッテリ１０を適宜充電し、入力電圧が所定値以下に低下した場合、バッテリ１０のエネルギーを使用して電圧を出力する電力変換部７、９、１１と、回路遮断器２のオン・オフ、およびトリップ状態を検出する回路遮断器状態検出部１５を備え、入力電圧が所定値以下に低下した場合に、回路遮断器状態検出部１５により回路遮断器２の状態を検出し、回路遮断器２がトリップしてオフ状態となった場合は、バッテリのエネルギーを使用して負荷３に電力を供給し、回路遮断器２がトリップせずにオフ状態になった場合は、負荷３への電力供給を停止する。【選択図】図１
2010081671.tif 000002
【特許請求の範囲】
【請求項１】
交流電源にオン・オフ操作が可能で、過電流または漏電電流の発生時に回路をトリップする開閉手段を介して接続され、負荷に電力を供給する無停電電源装置であって、
前記無停電電源装置の入力電圧を検出する入力電圧検出部と、
バッテリを適宜充電し、前記入力電圧が所定値以下に低下した場合、前記バッテリのエネルギーを使用して電圧を出力する電力変換部と、
前記開閉手段のオン・オフ状態、およびトリップ状態を検出する開閉手段状態検出部と、を備え、
前記入力電圧が所定値以下に低下した場合に、前記開閉手段状態検出部により前記開閉手段の状態を検出し、前記開閉手段がトリップしてオフ状態となった場合は、バッテリのエネルギーを使用して前記負荷に電力を供給し、前記開閉手段がトリップせずにオフ状態になった場合は、前記負荷への電力供給を停止することを特徴とする無停電電源装置。
【請求項２】
交流電源にオン・オフ操作が可能で、過電流または漏電電流の発生時に回路をトリップする開閉手段を介して接続され、負荷に電力を供給する無停電電源装置であって、
前記無停電電源装置の入力電圧を検出する入力電圧検出部と、
バッテリおよびコンデンサを適宜充電し、前記入力電圧が所定値以下に低下した場合、前記コンデンサのエネルギーを使用して電圧を出力すると共に、前記コンデンサの電圧が所定値以下に低下した場合、前記バッテリのエネルギーを使用して電圧を出力する電力変換部と、
前記開閉手段のオン・オフ状態、およびトリップ状態を検出する開閉手段状態検出部と、を備え、
前記入力電圧が所定値以下に低下した場合に、前記コンデンサの電圧が前記所定値以下に低下するまでの間に、前記開閉手段状態検出部により前記開閉手段の状態を検出し、前記開閉手段がトリップしてオフ状態となった場合は、バッテリのエネルギーを使用して前記負荷に電力を供給し、前記開閉手段がトリップせずにオフ状態になった場合は、前記負荷への電力供給を停止することを特徴とする無停電電源装置。
【請求項３】
前記開閉手段状態検出部は、前記開閉手段がトリップしてない時に「閉」、トリップ時に「開」となるトリップ検出スイッチと、オフ時に「閉」、オン時に「開」となるオン・オフ検出スイッチとを直列接続して得た出力を入力電圧とし、前記入力電圧が所定値を超えて低下した場合であって、前記両スイッチとも「閉」になった時に、前記負荷への電力供給を停止することを特徴とする請求項１に記載の無停電電源装置。
【請求項４】
前記開閉手段状態検出部は、前記開閉手段がトリップしてない時に「閉」、トリップ時に「開」となるトリップ検出スイッチと、オフ時「閉」、オン時「開」となるオン・オフ検出スイッチとを直列接続して得た出力を入力電圧とし、前記コンデンサの電圧が所定値以下に低下する前であって、前記両スイッチとも「閉」になった時に、前記負荷への電力供給を停止することを特徴とする請求項２に記載の無停電電源装置。
【発明の詳細な説明】
【技術分野】
【０００１】
この発明は、交流電源からの交流電力を負荷に供給するとともに、交流電源の停電時には、バッテリに蓄えられた直流電力を交流電力に変換して負荷へ供給する無停電電源装置に関するものである。
【背景技術】
【０００２】
従来の無停電電源装置は、交流電源に主電源スイッチを介して接続され、交流電源の電圧が設定値を下回るような電圧変動を検出すると停電と判定し、バッテリからインバータを介して負荷へ交流電力を供給している。そして、無停電電源装置の上位に設けられた主電源スイッチをオフにすると、停電と判定してバッテリから負荷へ電力供給されることによるバッテリの早期劣化を防止するために、主電源スイッチのオフに連動したスイッチを無停電電源装置の制御回路に取り込むことにより、バッテリからの電力供給を停止している（例えば、特許文献１参照）。
【０００３】
【特許文献１】特開２０００−７８７７３号公報
【発明の開示】
【発明が解決しようとする課題】
【０００４】
前記特許文献１に開示された無停電電源装置は、上位（電源側）に設けられた主電源スイッチを使用者がオフするたびに停電と判定し、バッテリから負荷への電力供給が繰り返し実施されることによるバッテリの早期劣化を防止するために、前記主電源スイッチのオフに連動したスイッチを制御回路に取り込むことで、バッテリからの電力供給を停止するものである。
【０００５】
しかし、前記特許文献１に開示された無停電電源装置は、主電源スイッチが負荷回路の漏電や過負荷事故によりトリップしてオフとなった時にも、バッテリ劣化を防止するために、バッテリからの電力供給を停止するように制御されることになる。従って、主電源スイッチの不意のトリップ時に負荷への電源供給ができなくなる問題点があった。
【０００６】
この発明は、前記の課題を解決するためになされたもので、オン・オフ操作が可能で、過電流または漏電電流の発生時に回路をトリップする開閉器が、トリップしてオフになった時にはバッテリによる負荷への電力供給を行い、前記開閉器が手動操作によりオフになった時にはバッテリによる負荷への電力供給は行わずに出力を停止し、バッテリの劣化を防止する無停電電源装置を得るものである。
【課題を解決するための手段】
【０００７】
この発明に係る無停電電源装置は、交流電源にオン・オフ操作が可能で、過電流または漏電電流の発生時に回路をトリップする開閉手段を介して接続され、負荷に電力を供給する無停電電源装置であって、前記無停電電源装置の入力電圧を検出する入力電圧検出部と、バッテリを適宜充電し、前記入力電圧が所定値以下に低下した場合、前記バッテリのエネルギーを使用して電圧を出力する電力変換部と、前記開閉手段のオン・オフ状態、およびトリップ状態を検出する開閉手段状態検出部と、を備え、前記入力電圧が所定値以下に低下した場合に、前記開閉手段状態検出部により前記開閉手段の状態を検出し、前記開閉手段がトリップしてオフ状態となった場合は、バッテリのエネルギーを使用して前記負荷に電力を供給し、前記開閉手段がトリップせずにオフ状態になった場合は、前記負荷への電力供給を停止するものである。
【発明の効果】
【０００８】
この発明によれば、オン・オフ操作が可能で、過電流または漏電電流の発生時に回路をトリップする開閉手段のトリップ時にはバッテリによる負荷への電源供給を行い、前記開閉手段の手動操作によるオフ時にはバッテリによる負荷への電力供給は行わず出力を停止し、バッテリの劣化を防止する無停電電源装置を得ることができる。
【発明を実施するための最良の形態】
【０００９】
以下、添付の図面を参照して、この発明に係る無停電電源装置について好適な実施の形態を説明する。なお、これらの実施の形態によりこの発明が限定されるものではない。
【００１０】
実施の形態１．
図１はこの発明の実施の形態１に係る無停電電源装置のブロック図である。図１において、無停電電源装置１００は、交流電源１にオン・オフ操作が可能で、かつ過電流または漏電電流の発生時に回路をトリップする開閉手段、例えば回路遮断器２を介して接続され、第１の負荷３に電力を供給する。また、第２の負荷４は、交流電源１に回路遮断器２を介して無停電電源装置１００と並列に接続されている。
【００１１】
入力電圧検出部５は無停電電源装置１００の入力電圧を検出し、検出した電圧値を制御部６に伝える。第１の電力変換部７は、無停電電源装置１００の入力部に接続され、交流電圧を直流電圧に変換してコンデンサ８を所定電圧（例えば２００Ｖ）に充電し、第２の電力変換部９を介してバッテリ１０に所定電力を充電する。第３の電力変換部１１は、コンデンサ８に接続され、直流電圧を交流電圧（例えばＡＣ１００Ｖ）に変換して第１の負荷３に電力を供給する。
【００１２】
第１の電力変換部７は、図２に示すように、ブリッジ整流回路７ａと昇圧回路７ｂより構成されている。また、第３の電力変換部１１は、図３に示すように、ダイオードを逆並列に接続した複数個のＭＯＳＦＥＴ等の自己消弧型半導体スイッチング素子１１ａ、１１ｂ、１１ｃ、１１ｄからなる単相フルブリッジの構成である。なお、フルブリッジはハーフブリッジでもよい。また、自己消弧型半導体スイッチング素子１１ａ、１１ｂ、１１ｃ、１１ｄはＭＯＳＦＥＴ以外に、ＩＧＢＴ、ＧＣＴ、ＧＴＯ、トランジスタ等でもよく、あるいは自己消弧機能がないサイリスタ等でも強制転流動作が可能であればよい。
【００１３】
図１に戻り、コンデンサ電圧検出部１２は、コンデンサ８の電圧を検出し、その電圧値を制御部６に伝える。制御部６は、コンデンサ８の電圧が所定値（例えば１６０Ｖ）を下回ると、第２の電力変換部９により、バッテリ１０の電力でコンデンサ８を所定電圧（例えば２００Ｖ）に充電するように機能する。
【００１４】
回路遮断器２には、オン・オフ検出スイッチ１３とトリップ検出スイッチ１４が設けられている。オン・オフ検出スイッチ１３は、回路遮断器２のオン・オフ状態を出力するスイッチで、例えば回路遮断器２がオンの時「閉」、オフの時「開」となる。また、トリップ検出スイッチ１４は、回路遮断器２のトリップ状態を出力するスイッチで、例えば回路遮断器がトリップした時「閉」、トリップしていない時「開」となる。オン・オフ検出スイッチ１３とトリップ検出スイッチ１４の動作状態は、開閉手段状態検出部である回路遮断器状態検出部１５により検出され、制御部６に伝えられる。
【００１５】
実施の形態１に係る無停電電源装置は前記のように構成されており、次にその動作について説明する。
回路遮断器２を手動操作によりオンすることで、無停電電源装置１００の入力部に交流電圧が印加され、第１の電力変換部７により、入力部に印加された交流電圧を直流電圧に変換し、コンデンサ８を所定電圧（例えば２００Ｖ）に充電する。
【００１６】
第３の電力変換部１１は、コンデンサ８の直流電圧を所定の交流電圧（例えばＡＣ１００Ｖ）に変換し、第１の負荷３に電力を供給する。第２の電力変換部９は、バッテリ１０に所定電力を供給し、バッテリ１０を所定電圧（例えば４８Ｖ）に充電する。
【００１７】
前記状態において、先ず、交流電源１の電圧が低下した場合の動作について説明する。交流電源１が所定電圧（例えばＡＣ７０Ｖ）以下に低下した場合、入力電圧検出部５、制御部６により、この電圧低下を検出し、第１の電力変換部７によるコンデンサ８への充電動作を停止する。さらに、第２の電力変換部９によるバッテリ１０への充電動作も停止し、コンデンサ８に蓄積されたエネルギーを第３の電力変換部１１によって交流電圧に変換し、第１の負荷３への出力を維持する。
【００１８】
コンデンサ電圧検出部１２により、コンデンサ８の電圧を検出し、電圧が所定値（例えば１６０Ｖ）以下になったら、バッテリ１０に蓄積されたエネルギーで、第２の電力変換部９によりコンデンサ８を所定電圧（例えば２００Ｖ）に充電し、第３の電力変換部１１により交流電圧に変換して第１の負荷３への出力を維持する。
【００１９】
このとき、回路遮断器２はオン状態であるので、オン・オフ検出スイッチ１３は「閉」、トリップ検出スイッチ１４は「開」となっており、回路遮断器状態検出部１５により、回路遮断器２がオン状態であることを検出する。
【００２０】
回路遮断器２の動作は、交流電源１が所定電圧（例えばＡＣ７０Ｖ）以下に低下した時点から検出を開始し、コンデンサ８の電圧が所定値（例えば１６０Ｖ）まで低下するまで検出を継続し、回路遮断器２の状態を確定する。
【００２１】
前記の場合では、回路遮断器２はオン状態であるので、コンデンサ８の電圧が所定値（例えば１６０Ｖ）まで低下した後は、バッテリ１０に蓄積されたエネルギーで、第２の電力変換部９によりコンデンサ８を所定電圧（例えば２００Ｖ）に充電する。そして、第３の電力変換部１１により交流電圧に変換し、第１の負荷３への出力を維持し、不意の電圧低下から第１の負荷３を保護する。
【００２２】
次に、交流電源１が所定の電圧である状態で、回路遮断器２が手動操作によりオフされた場合の動作について説明する。
回路遮断器２を手動操作によりオフすると、無停電電源装置１００の入力電圧が低下し、入力電圧検出部５により、その電圧が検出される。そして、入力電圧検出部５により検出された電圧が所定値（例えばＡＣ７０Ｖ）以下に低下した場合、第１の電力変換部７によるコンデンサ８への充電動作を停止する。
【００２３】
さらに、第２の電力変換部９によるバッテリ１０への充電動作も停止し、コンデンサ８に蓄積されたエネルギーを第３の電力変換部１１により交流電圧に変換し、第１の負荷３への出力を維持しながら、回路遮断器状態検出部１５により、回路遮断器２の状態を検出する。
【００２４】
回路遮断器２はオフ状態であるので、オン・オフ検出スイッチ１３は「開」、トリップ検出スイッチ１４は「開」となっており、回路遮断器状態検出部１５により、回路遮断器２がトリップなしのオフ状態であることを検出する。
【００２５】
前述のとおり、回路遮断器の動作は、無停電電源装置１００の入力電圧が所定値（例えばＡＣ７０Ｖ）以下に低下した時点から検出を開始し、コンデンサ８の電圧が所定値（例えば１６０Ｖ）まで低下するまで検出を継続し、回路遮断器２の状態を確定する。
【００２６】
前記の場合では、回路遮断器２はトリップなしのオフ状態であるので、コンデンサ８の電圧が所定値（例えば１６０Ｖ）まで低下した後は、第１の負荷３への出力を停止する。
【００２７】
次に、交流電源１が所定の電圧である状態で、無停電電源装置１００と並列に接続された第２の負荷４が過負荷事故または漏電事故を起こしたことにより、回路遮断器２がトリップしオフした場合の動作について説明する。
【００２８】
回路遮断器２がトリップすると、無停電電源装置１００の入力電圧が低下し、入力電圧検出部５により、その電圧が検出される。そして、入力電圧検出部５により検出された電圧が所定値（例えばＡＣ７０Ｖ）以下に低下した場合、第１の電力変換部７によるコンデンサ８への充電動作を停止する。
【００２９】
さらに、第２の電力変換部９によるバッテリ１０への充電動作も停止し、コンデンサ８に蓄積されたエネルギーを第３の電力変換部１１により交流電圧に変換し、第１の負荷３への出力を維持しながら、回路遮断器状態検出部１５により、回路遮断器２の状態を検出する。
【００３０】
回路遮断器２はトリップしたオフ状態であるので、オン・オフ検出スイッチ１３は「開」、トリップ検出スイッチ１４は「閉」となっており、回路遮断器状態検出部１５により、回路遮断器２がトリップしたオフ状態であることを検出する。
【００３１】
回路遮断器の動作は、交流電源１が所定電圧（例えばＡＣ７０Ｖ）以下に低下した時点から検出を開始し、コンデンサ８の電圧が所定値（例えば１６０Ｖ）まで低下するまで検出を継続し、回路遮断器２の状態を確定する。
【００３２】
前記の場合では、回路遮断器２はトリップしたオフ状態であるので、コンデンサ８の電圧が所定値（例えば１６０Ｖ）まで低下した後は、バッテリ１０に蓄積されたエネルギーで、第２の電力変換部９によりコンデンサ８を所定電圧（例えば２００Ｖ）に充電する。そして、第３の電力変換部１１により交流電圧に変換し、第１の負荷３への出力を維持し、不意の回路遮断器２のトリップから第１の負荷３を保護する。
【００３３】
実施の形態１に係る無停電電源装置は前記のように構成されているので、回路遮断器２がトリップした場合には、バッテリ１０による電力供給を行って不意の回路遮断器２のトリップから第１の負荷３を保護し、回路遮断器２が手動操作によりオフされた場合には、第１の負荷３への出力を停止するため、バッテリ１０に蓄積されたエネルギーを放電することがなく、バッテリ１０の不要な劣化を防止できる。
【００３４】
また、回路遮断器２の状態を検出している間も、コンデンサ８のエネルギーを使って、第１の負荷３への出力を瞬断することなく維持できるので、第１の負荷３が瞬断により誤動作することもない。
【００３５】
さらに、コンデンサ８の電圧が所定値（例えば１６０Ｖ）まで低下するまでの例えば２０ｍＳの間、回路遮断器２の状態を繰り返し検出することができるので、オン・オフ検出スイッチ１３やトリップ検出スイッチ１４のチャタリングなどによる誤検出をすることのない、安定した検出を行うことができる。
【００３６】
実施の形態２．
次に、この発明の実施の形態２に係る無停電電源装置について説明する。図４はこの発明の実施の形態２に係る無停電電源装置のブロック図である。図４において、無停電電源
装置１０１は、交流電源１に回路遮断器２を介して接続され、第１の負荷３に電力を供給する。また、第２の負荷４は、交流電源１に回路遮断器２を介して無停電電源装置１０１と並列に接続されている。
【００３７】
入力電圧検出部５は無停電電源装置１０１の入力電圧を検出し、検出した電圧値を制御部６に伝える。第４の電力変換部４０は、無停電電源装置１０１の入力部にスイッチ部４１を介して接続され、交流電圧を直流電圧に変換してコンデンサ８を所定電圧（例えば１２０Ｖ）に充電し、第２の電力変換部９を介してバッテリ１０に所定電力を充電する。
【００３８】
第５の電力変換部４２は、無停電電源装置１０１の入力部の一端と出力部の一端との間に接続され、無停電電源装置１０１の出力電圧が安定するように交流電圧を出力する。
【００３９】
コンデンサ電圧検出部１２は、コンデンサ８の電圧を検出し、電圧値を制御部６に伝え、制御部６は、コンデンサ８の電圧が所定値（例えば１００Ｖ）を下回ると、第２の電力変換部９により、バッテリ１０の電力によりコンデンサ８を所定電圧（例えば１２０Ｖ）に充電する。なお、その他の構成については、実施の形態１と同様であり、同一符号を付してその説明を省略する。
【００４０】
実施の形態２に係る無停電電源装置は前記のように構成されており、次にその動作について説明する。
回路遮断器２を手動操作によりオンすることにより、無停電電源装置１０１の入力部に交流電圧が印加され、スイッチ部４１を介して入力部に印加された交流電圧を第４の電力変換部４０により直流電圧に変換し、コンデンサ８を所定電圧（例えば１２０Ｖ）に充電する。
【００４１】
第５の電力変換部４２は、交流電源１の不足電圧分を補うように交流電圧を出力し、無停電電源装置１０１の出力を所定の交流電圧（例えばＡＣ１００Ｖ）に安定化し、第１の負荷３に電力を供給する。第２の電力変換部９は、バッテリ１０に所定電力を供給し、バッテリ１０を所定電圧（例えば４８Ｖ）に充電する。
【００４２】
前記状態において、先ず、交流電源１の電圧が低下した場合の動作について説明する。交流電源１が所定電圧（例えばＡＣ７０Ｖ）以下に低下した場合、入力電圧検出部５、制御部６により、電圧低下を検出し、スイッチ部４１をオフし、第４の電力変換部４０によるコンデンサ８への充電動作を停止する。さらに、第２の電力変換部９によるバッテリ１０への充電動作も停止し、コンデンサ８に蓄積されたエネルギーを第４の電力変換部４０により交流電圧に変換し、第５の電力変換部４２とともに、第１の負荷３への出力を維持する。
【００４３】
コンデンサ電圧検出部１２により、コンデンサ８の電圧を検出し、電圧が所定値（例えば１００Ｖ）以下になったら、バッテリ１０に蓄積されたエネルギーで、第２の電力変換部９によりコンデンサ８を所定電圧（例えば１２０Ｖ）に充電し、第４の電力変換部４０および第５の電力変換部４２により第１の負荷３への出力を維持する。
【００４４】
回路遮断器２はオン状態であるので、オン・オフ検出スイッチ１３は「閉」、トリップ検出スイッチ１４は「開」となっており、回路遮断器状態検出部１５により、回路遮断器２がオン状態であることを検出する。
【００４５】
回路遮断器２の動作状態は、交流電源１が所定電圧（例えばＡＣ７０Ｖ）以下に低下した時点から検出を開始し、コンデンサ８の電圧が所定値（例えば１００Ｖ）まで低下するまで、検出を継続し、回路遮断器２の状態を確定する。
【００４６】
前記の場合では、回路遮断器２はオン状態であるので、コンデンサ８の電圧が所定値（例えば１００Ｖ）まで低下した後は、バッテリ１０に蓄積されたエネルギーで、第２の電力変換部９によりコンデンサ８を所定電圧（例えば１２０Ｖ）に充電する。そして、第４の電力変換部４０により交流電圧に変換し、第５の電力変換部４２とともに第１の負荷３への出力を維持し、不意の電圧低下から第１の負荷３を保護する。
【００４７】
次に、交流電源１が所定の電圧である状態で、回路遮断器２が手動操作によりオフされた場合の動作について説明する。
回路遮断器２を手動操作でオフすると、無停電電源装置１０１の入力電圧が低下する。入力電圧検出部５により、その電圧を検出し、所定電圧（例えばＡＣ７０Ｖ）以下に低下した場合、第４の電力変換部４０によるコンデンサ８への充電動作を停止する。
【００４８】
さらに、第２の電力変換部９によるバッテリ１０への充電動作も停止し、コンデンサ８に蓄積されたエネルギーを第４の電力変換部４０により交流電圧に変換する。そして、第５の電力変換部４２とともに、第１の負荷３への出力を維持しながら、回路遮断器状態検出部１５により、回路遮断器２の状態を検出する。
【００４９】
回路遮断器２はオフ状態であるので、オン・オフ検出スイッチ１３は「開」、トリップ検出スイッチ１４は「開」となっており、回路遮断器状態検出部１５により、回路遮断器２がトリップなしのオフ状態であることを検出する。
【００５０】
回路遮断器２の動作は、無停電電源装置１０１の入力電圧が所定値（例えばＡＣ７０Ｖ）以下に低下した時点から検出を開始し、コンデンサ８の電圧が所定値（例えば１００Ｖ）まで低下するまで検出を継続し、回路遮断器２の状態を確定する。
【００５１】
前記の場合では、回路遮断器２はトリップなしのオフ状態であるので、コンデンサ８の電圧が所定値（例えば１００Ｖ）まで低下した後は、第１の負荷３への出力を停止する。
【００５２】
次に、交流電源１が所定の電圧である状態で、無停電電源装置１０１と並列に接続された第２の負荷４が過負荷事故または漏電事故を起こしたことにより、回路遮断器２がトリップしオフした場合の動作について説明する。
【００５３】
回路遮断器２がトリップすると、無停電電源装置１０１の入力電圧が低下する。入力電圧検出部５により、その電圧を検出し、所定電圧（例えばＡＣ７０Ｖ）以下に低下した場合、第４の電力変換部４０によるコンデンサ８への充電動作を停止する。
【００５４】
さらに、第２の電力変換部９によるバッテリ１０への充電動作も停止し、コンデンサ８に蓄積されたエネルギーを第４の電力変換部４０により交流電圧に変換する。そして、第５の電力変換部４２とともに、第１の負荷３への出力を維持しながら、回路遮断器状態検出部１５により、回路遮断器２の状態を検出する。
【００５５】
回路遮断器２はトリップしたオフ状態であるので、オン・オフ検出スイッチ１３は「開」、トリップ検出スイッチ１４は「閉」となっており、回路遮断器状態検出部１５により、回路遮断器２がトリップしたオフ状態であることを検出する。
【００５６】
回路遮断器の動作は、交流電源１が所定電圧（例えばＡＣ７０Ｖ）以下に低下した時点から検出を開始し、コンデンサ８の電圧が所定値（例えば１００Ｖ）まで低下するまで検出を継続し、回路遮断器２の状態を確定する。
【００５７】
前記の場合では、回路遮断器２はトリップしたオフ状態であるので、コンデンサ８の電圧が所定値（例えば１００Ｖ）まで低下した後は、バッテリ１０に蓄積されたエネルギーで、第２の電力変換部９によりコンデンサ８を所定値（例えば１２０Ｖ）に充電する。そして、第４の電力変換部４０により交流電圧に変換し、第５の電力変換部４２とともに、第１の負荷３への出力を維持し、不意の回路遮断器２のトリップから第１の負荷３を保護する。
【００５８】
実施の形態２に係る無停電電源装置は前記のように構成されているので、回路遮断器２がトリップした場合にはバッテリ１０による電力供給を行い、不意の回路遮断器２のトリップから第１の負荷３を保護し、回路遮断器２が手動操作でオフされた場合には第１の負荷３への出力を停止するため、バッテリ１０に蓄積されたエネルギーを放電することがなく、バッテリ１０の不要な劣化を防止できる。
【００５９】
また、回路遮断器２の状態を検出している間も、コンデンサ８のエネルギーを使って、第１の負荷３への出力を瞬断することなく維持できるので、第１の負荷３が瞬断により誤動作することもない。
【００６０】
さらに、コンデンサ８の電圧が所定値（例えば１００Ｖ）まで低下するまでの例えば２０ｍＳの間、回路遮断器２の状態を繰り返し検出することができるので、オン・オフ検出スイッチ１３やトリップ検出スイッチ１４のチャタリングなどによる誤検出を行わない、安定した検出を行うことができる。
【００６１】
実施の形態３．
次に、この発明の実施の形態３に係る無停電電源装置について説明する。図５はこの発明の実施の形態３に係る無停電電源装置のブロック図である。図５において、実施の形態３に係る無停電電源装置１０２は、オン・オフ検出スイッチ１３とトリップ検出スイッチ１４の接続状態が実施の形態１とは異なっている。
【００６２】
実施の形態１では、回路遮断器２のオン・オフ状態を出力するオン・オフ検出スイッチ１３は、回路遮断器２がオンの時に「閉」、オフの時に「開」となり、回路遮断器２のトリップ状態を出力するトリップ検出スイッチ１４は、回路遮断器２がトリップした時に「閉」、トリップしていない時に「開」とし、回路遮断器状態検出部１５にはオン・オフ検出スイッチ１３とトリップ検出スイッチ１４のそれぞれの出力を入力した。
【００６３】
実施の形態３においては、オン・オフ検出スイッチ１３は、回路遮断器２がオンの時に「開」、オフの時に「閉」とし、回路遮断器２のトリップ状態を出力するトリップ検出スイッチ１４は、回路遮断器２がトリップした時に「開」、トリップしていない時に「閉」とし、オン・オフ検出スイッチ１３およびトリップ検出スイッチ１４を直列に接続して、それぞれの出力を回路遮断器状態検出部１５に１つの入力とするように構成されている。なお、その他の構成については、実施の形態１と同様であり、同一符号を付してその説明を省略する。
【００６４】
実施の形態３に係る無停電電源装置１０２は前記のように構成されており、回路遮断器２がトリップしていないオフ時はオン・オフ検出スイッチ１３およびトリップ検出スイッチ１４とも「閉」となり、回路遮断器状態検出部１５の入力が「閉」となることで、回路遮断器２がトリップしていないオフ状態であることを検出し、第１の負荷３への出力を停止する。
【００６５】
また、回路遮断器２がトリップ時にはオン・オフ検出スイッチ１３は「閉」、トリップ検出スイッチ１４は「開」となり、回路遮断器状態検出部１５の入力が「開」となること
で、回路遮断器２がトリップしたオフ状態であることを検出し、第１の負荷３への出力を維持し、不意の回路遮断器２のトリップから第１の負荷３を保護する。
【００６６】
また、回路遮断器２の状態を検出している間も、コンデンサ８のエネルギーを使って、第１の負荷３への出力を瞬断することなく維持できるので、第１の負荷３が瞬断により誤動作することもない。
【００６７】
さらに、オン・オフ検出スイッチ１３およびトリップ検出スイッチ１４を直列接続して１入力とすることにより、入力点数が削減でき、低コスト化が可能となる。
【００６８】
実施の形態４．
次に、この発明の実施の形態４に係る無停電電源装置について説明する。図６はこの発明の実施の形態４に係る無停電電源装置のブロック図である。図６において、実施の形態４に係る無停電電源装置１０３は、オン・オフ検出スイッチ１３とトリップ検出スイッチ１４の接続状態が実施の形態２とは異なっている。
【００６９】
実施の形態２では、回路遮断器２のオン・オフ状態を出力するオン・オフ検出スイッチ１３は、回路遮断器２がオンの時に「閉」、オフの時に「開」となり、回路遮断器２のトリップ状態を出力するトリップ検出スイッチ１４は、回路遮断器２がトリップした時に「閉」、トリップしていない時に「開」とし、回路遮断器状態検出部５にはオン・オフ検出スイッチ１３とトリップ検出スイッチ１４のそれぞれの出力を入力した。
【００７０】
実施の形態４においては、オン・オフ検出スイッチ１３は、回路遮断器２がオンの時に「開」、オフの時に「閉」とし、回路遮断器２のトリップ状態を出力するトリップ検出スイッチ４は、回路遮断器２がトリップした時に「開」、トリップしていない時に「閉」とし、オン・オフ検出スイッチ１３およびトリップ検出スイッチ１４を直列に接続して、それぞれの出力を回路遮断器状態検出部１５に１つの入力とするように構成されている。なお、その他の構成については、実施の形態２と同様であり、同一符号を付してその説明を省略する。
【００７１】
実施の形態４に係る無停電電源装置１０３は前記のように構成されており、回路遮断器２がトリップしていないオフ時は、オン・オフ検出スイッチ１３およびトリップ検出スイッチ１４とも「閉」となり、回路遮断器状態検出部１５の入力が「閉」となることで、回路遮断器２がトリップしていないオフ状態であることを検出し、第１の負荷３への出力を停止する。
【００７２】
また、回路遮断器２のトリップ時は、オン・オフ検出スイッチ１３は「閉」、トリップ検出スイッチ１４は「開」となり、回路遮断器状態検出部１５の入力が「開」となることで、回路遮断器２がトリップしたオフ状態であることを検出し、第１の負荷３への出力を維持し、不意の回路遮断器２のトリップから第１の負荷３を保護する。
【００７３】
また、回路遮断器２の状態を検出している間も、コンデンサ８のエネルギーを使って、第１の負荷３への出力を瞬断することなく維持できるので、第１の負荷３が瞬断により誤動作することもない。
【００７４】
さらに、オン・オフ検出スイッチ１３およびトリップ検出スイッチ１４を直列接続して１入力とすることにより、入力点数が削減でき、低コスト化が可能となる。
【産業上の利用可能性】
【００７５】
この発明は、上位に設けられた回路遮断器のトリップ時にはバッテリによる電力供給を
行って負荷への電源供給を継続し、手動操作によるオフ時にはバッテリによる負荷への電力供給は行わずに出力を停止する無停電電源装置として利用できる。
【図面の簡単な説明】
【００７６】
【図１】この発明の実施の形態１に係る無停電電源装置のブロック図である。
【図２】この発明の実施の形態１に係る無停電電源装置の第１の電力変換部を示す回路図である。
【図３】この発明の実施の形態１に係る無停電電源装置の第３の電力変換部を示す回路図である。
【図４】この発明の実施の形態２に係る無停電電源装置のブロック図である。
【図５】この発明の実施の形態３に係る無停電電源装置のブロック図である。
【図６】この発明の実施の形態４に係る無停電電源装置のブロック図である。
【符号の説明】
【００７７】
１  交流電源
２  回路遮断器
３  第１の負荷
４  第２の負荷
５  入力電圧検出部
６  制御部
７  第１の電力変換部
７ａ  ブリッジ整流回路
７ｂ  昇圧回路
８  コンデンサ
９  第２の電力変換部
１０  バッテリ
１１  第３の電力変換部
１１ａ、１１ｂ、１１ｃ、１１ｄ  自己消弧型半導体スイッチング素子
１２  コンデンサ電圧検出部
１３  オン・オフ検出スイッチ
１４  トリップ検出スイッチ
１５  回路遮断器状態検出部
４０  第４の電力変換部
４１  スイッチ部
４２  第５の電力変換部
１００、１０１、１０２、１０３  無停電電源装置
【図１】
2010081671.tif 000003
【図２】
2010081671.tif 000004
【図３】
2010081671.tif 000005
【図４】
2010081671.tif 000006
【図５】
2010081671.tif 000007
【図６】
2010081671.tif 000008